(57)【特許請求の範囲】
【請求項１】
ケース上部に操作ハンドル、後方に電源側端子、前方に負荷側端子を夫々配置し、前記負荷側端子が速結端子で構成されて、ケース前面に前記速結端子の電線挿入孔を形成した回路遮断器において、
前記電線挿入孔は略平坦に形成された挿入孔形成面内に設けられ、前記挿入孔形成面に前記電線挿入孔を下端として上方に向けて先細りさせた凹部を形成したことを特徴とする回路遮断器。
【請求項２】
凹部は、下端が電線挿入孔を覆うよう形成され、上方に向けて浅く形成した滴形状であって、最深部である下端部の深さが挿入孔形成面から０．５〜６．０ｍｍである請求項１記載の回路遮断器。
【請求項３】
挿入孔形成面は、３０°未満の仰角を有して形成されて成る請求項１又は２記載の回路遮断器。
【請求項４】
挿入孔形成面の左右端部に、０．５〜１．２ｍｍの突起量を有する帯状片を上下方向に形成して成る請求項１乃至３の何れかに記載の回路遮断器。
【発明の詳細な説明】
【技術分野】
【０００１】
本発明は、電路に異常電流が流れたら遮断動作する回路遮断器に関し、特に速結端子を備えた回路遮断器に関する。
【背景技術】
【０００２】
電路に異常電流が流れたら電路を遮断する回路遮断器において、速結端子は電線の接続作業が容易であるし、端子部の小型化が可能であるため、比較的容量の小さな回路遮断器の負荷側端子に採用されている。ところが、回路遮断器はケース背面に電源側端子、前面に負荷側端子、上部に操作ハンドルを配置して構成されるため、分電盤等に組み付けた状態では、正面に操作ハンドルが配置されることになる。そのため、速結端子は下方や上方に向けて配置されることになる。そのため、分電盤等に組み付けた状態では速結端子の電線挿入孔の位置が把握し難くなり、電線の挿入作業がし辛いものとなっていた。
このような背景から、遮断器ケースの電線挿入孔周囲に案内壁を突設する等の工夫がなされていた（例えば、特許文献１参照）。
【０００３】
【特許文献１】特開２００５−４４７５５号公報（図２、図５）
【発明の開示】
【発明が解決しようとする課題】
【０００４】
しかし、上記案内構造は、案内壁を遮断器ケース前面に突設するため、速結端子を採用してせっかくケースを小型化しても突起部を有することで大型化していたし、外観上も好ましい形状ではなかった。
そこで、本発明はこの問題点に鑑み、案内壁等の突起部を設けることなく、また外観上も不自然な形状とならない電線の案内構造を備えた回路遮断器を提供することを目的とする。
【課題を解決するための手段】
【０００５】
上記課題を解決する為に、請求項１の発明は、ケース上部に操作ハンドル、後方に電源側端子、前方に負荷側端子を夫々配置し、前記負荷側端子が速結端子で構成されて、ケース前面に前記速結端子の電線挿入孔を形成した回路遮断器において、前記電線挿入孔は略平坦に形成された挿入孔形成面内に設けられ、前記挿入孔形成面に前記電線挿入孔を下端として上方に向けて先細りさせた凹部を形成したことを特徴とする。
この構成によれば、凹部により上方から電線挿入孔を視認し易くなるし、凹部は電線を案内する機能を有するので、挿入操作がし易くなる。そのため、電線を案内する為の部材を電線挿入孔周囲に突設する必要がなく、デザイン上も好ましい。
【０００６】
請求項２の発明は、請求項１に記載の発明において、凹部は、下端が電線挿入孔を覆うよう形成され、上方に向けて浅く形成した滴形状であって、最深部である下端部の深さが挿入孔形成面から０．５〜６．０ｍｍであることを特徴とする。
この構成によれば、凹部は浅く形成されるので、ケース内部空間に影響を及ぼすことが無く、小型化を妨げるようなことがない。
【０００７】
請求項３の発明は、請求項１又は２に記載の発明において、挿入孔形成面は、３０°未満の仰角を有して形成されて成ることを特徴とする。
この構成によれば、電線挿入孔形成面は僅かに上向きに形成されるので、上方から電線挿入孔自体を確認し易い。また、傾斜は小さいので、ケース内部空間が影響を受けることもない。
【０００８】
請求項４の発明は、請求項１乃至３の何れかに記載の発明において、挿入孔形成面の左右端部に、０．５〜１．２ｍｍの突起量を有する帯状片を上下方向に形成して成ることを特徴とする。
この構成によれば、電線を挿入操作する際、電線が電線挿入孔形成面から左右に外れないため、挿入操作が更にし易くなる。また、帯状片の突出量は僅かなので、ケースの大きさや外観に影響を与えない。
【発明の効果】
【０００９】
本発明によれば、凹部により上方から電線挿入孔を視認し易くなるし、凹部は電線を案内する機能を有するので、挿入操作がし易くなる。そのため、電線を案内する為の部材を電線挿入孔周囲に突設する必要がなく、デザイン上も好ましい。
【発明を実施するための最良の形態】
【００１０】
以下、本発明を具体化した実施の形態を、図面に基づいて詳細に説明する。図１〜図５は本発明に係る回路遮断器の一例を示し、図１は斜視図、図２はＡ部拡大図、図３は平面図、図４は正面図、図５は側面図である。各図において、１は電路を開閉操作する操作ハンドル、２は電源側端子、３は負荷側端子であり、操作ハンドル１は遮断器のケース４の上面の略中央に、電源側端子２は背面に、負荷側端子３は前面に夫々配置され、各端子を対で設けた２極形回路遮断器を示している。尚、図１は操作ハンドル１をオフ操作した状態、図３〜図５はオン操作した状態となっている。
【００１１】
電源側端子２はねじ式端子で構成され、背面に分電盤内に配設された導体バー（図示せず）を挿入する電源ライン接続孔（図すせず）が左右に一対設けられ、ケース４の上部に端子ねじの操作孔５，５が形成されている。
【００１２】
負荷側端子３は速結端子で構成され、ケース４の前面には左右一対の電線挿入孔６，６が設けられている。また、電線挿入孔６，６の上部となるケース４の上面には、速結端子の電線係止部を操作して接続された電線の係止を解除するための解除レバー７，７が設けられている。
【００１３】
尚、図１、図２に示す解除レバー７，７のうち右側の解除レバー７は僅かに後方に移動した状態を示しているが、これは端子に電線（図示せず）が接続されている状態を示すもので、このように解除レバー７の位置が変化することで、電線が確実に速結端子に接続されていることを把握できる。
【００１４】
電線挿入孔６は、ケース４前面上部に形成した平坦な挿入孔形成面９に設けられ、挿入孔形成面９は、約１０°の仰角を設けて形成され（垂直方向から約１０°後方に傾斜させて形成され）ている。また、電線挿入孔６は円形に形成され、図５の破線で示すように斜め下方に向けて穿設され、この電線挿入孔６から上方に向けて挿入孔形成面９内に、凹部１０が形成されている。尚、図５に示す破線は、電線挿入孔６の中央部の縦断面を示し、凹部の最深部（底部）の深さを示している。
【００１５】
凹部１０は上方に進むにつれて細く且つ浅く形成され、図６のＢ部拡大図に示すように略垂直な直線を成した底部を有し、挿入孔形成面９に対して滴状の外形で形成されている。そして、下端は電線挿入孔６を包含するように電線挿入孔６より僅かに大きな曲率で丸く形成され、凹部１０の最深部は電線挿入孔６の上端中央部（図５のＰ１点）で、約１．５ｍｍの深さとなっている。尚、凹部１０は、電線挿入孔６上端から約７ｍｍの長さで形成され、横方向の断面形状は略Ｕ字状となっている。
一方、挿入孔形成面９の左右端部には上下方向に延びた帯状片１１が設けられている。この帯状片は、幅及び突起量が約１ｍｍで形成されている。
【００１６】
このように電線挿入孔上部の平坦な面に凹部を設けたので、上方から電線挿入孔を視認し易くなるし、凹部は電線を案内する機能を有するので、挿入操作がし易くなる。そのため、電線を案内する為の部材を電線挿入孔周囲に突設する必要がなく、デザイン上も好ましい。
また凹部は最深部でも１．５ｍｍ程度の深さであるため浅く形成され、ケース内部空間に影響を及ぼすことが無く、小型化を妨げるようなことがない。
更に、電線挿入孔形成面は僅かに上向きに形成されることで、上方から電線挿入孔自体を確認し易いし、傾斜は小さいのでケースが大型になることもない。
また、左右に設けた帯状片が電線が左右に外れるのを阻止するため、電線が電線挿入孔形成面から左右に外れ難く、挿入操作が更にし易くなるし、帯状片の突出量は僅かなので、ケースの大きさや外観に影響を与えない。
【００１７】
次に、本発明に係る回路遮断器の他の例を説明する。図７は斜視図、図８は正面図であり、上記図１の実施形態とは凹部の形状が異なっている。この場合、凹部１０ａは上方に進むにつれて細く且つ浅く形成されているが、横断面で見るとＶ字状の溝となっている。詳細には、凹部１０ａの長さは７ｍｍ、電線挿入孔上端部での深さは１．５ｍｍで形成されている。
このように、直線的に凹部を形成しても良く、電線挿入孔を視認し易いし、電線を良好に挿入孔へ案内できる。
【００１８】
尚、上記実施形態では、凹部１０，１０ａの深さを１．５ｍｍとしたが、０．５〜６．０ｍｍの深さで作成すると良い。凹部１０，１０ａの深さは０．５ｍｍより浅い場合は、電線を案内する作用が弱くなり好ましくないし、６．０ｍｍより深くすると、ケース４の内部空間やケース４の強度に影響が出てくるため好ましくない。
また、挿入孔形成面９の仰角を１０°としたが、挿入孔形成面９の仰角は無くても（垂直に形成しても）良い。しかし、３０°未満であれば仰角を設けることで上方から確認し易くなるの好ましい。３０°を超えると、ケース前方の突出量が大きくなったり、ケース内部空間が制約を受けることになり好ましくない。
そして、凹部１０，１０ａと挿入孔形成面９の仰角とは相関関係を有し、仰角が大きい場合は、凹部１０，１０ａを深く形成すると効果的である。逆に仰角が小さい場合（垂直に近い場合）に、凹部１０，１０ａを深く形成しても、電線挿入孔６の視認性が比例して良くなるとは限らない。
更に、帯状片１１の高さを１．０ｍｍとしたが、０．５〜２．０ｍｍの高さとすると良い。帯状片１１は０．５ｍｍより低いと電線を係止する効果が小さく有効ではないし、２．０ｍｍより高くなると突起が目立ち、外観上好ましくない。
【図面の簡単な説明】
【００１９】
【図１】本発明に係る回路遮断器の一例を示す斜視図である。
【図２】図１のＡ部拡大図である。
【図３】図１の回路遮断器の平面図である。
【図４】図１の回路遮断器の正面図である。
【図５】図１の回路遮断器の側面図である。
【図６】図５のＢ部拡大図である。
【図７】本発明の他の例を示す回路遮断器の斜視図である。
【図８】図７の正面図である。
【符号の説明】
【００２０】
２・・電源側端子、３・・負荷側端子、４・・ケース、６・・電線挿入孔、９・・挿入孔形成面、１０，１０ａ・・凹部、１１・・帯状片。
【図１】
0005080236.tif 000002
【図２】
0005080236.tif 000003
【図３】
0005080236.tif 000004
【図４】
0005080236.tif 000005
【図５】
0005080236.tif 000006
【図６】
0005080236.tif 000007
【図７】
0005080236.tif 000008
【図８】
0005080236.tif 000009